(57)【要約】【課題】玄関ポーチ部分等の免震クリアランス部によって生じる両側の開き部をうまい具合に塞いで外観体裁を良好なものにする、免震クリアランス部の塞ぎ構造を提供する。【解決手段】免震クリアランス部６を両側から塞ぐ対の面状塞ぎ材７，７が免震側と非免震側とにわたすように設置され、これら面状塞ぎ材７，７はバネ８で連結されて相対接近方向のバネ付勢力を受け、各面状塞ぎ材７，７には、玄関ポーチ下部側４にわたされる側縁部の内面側において、玄関ポーチ下部側４と係合して面内方向におけるズレを阻止する係合部９が備えられ、該係合部９は斜面９ａに形成されて、免震時の免震側と非免震側との相対接近変位時に、対の面状塞ぎ材７，７が面外方向に開く破壊防止動作を行う。【選択図】      図１
2007070967.tif 000002
【特許請求の範囲】
【請求項１】
免震側と非免震側との間の免震クリアランス部を両側から塞ぐ対の面状塞ぎ材が免震側と非免震側とにわたすように設置され、
これら面状塞ぎ材は、免震クリアランス部を通じてバネで連結されて相対接近方向のバネ付勢力を受けていると共に、
各面状塞ぎ材には、免震側にわたされる側縁部の内面側、及び／又は、非免震側にわたされる側縁部の内面側において、前記バネ付勢力との組み合わせによって、免震側及び／又は非免震側と係合して面内方向におけるズレを阻止する係合部が備えられ、
免震側にわたされる側縁部の係合部、及び／又は、非免震側にわたされる側縁部の係合部は斜面に形成されていて、免震時の免震側と非免震側との相対接近変位時に、対の面状塞ぎ材が該斜面を利用して面外方向に開く破壊防止動作を行うようになされていることを特徴とする免震クリアランス部の塞ぎ構造。
【発明の詳細な説明】
【技術分野】
【０００１】
本発明は、免震クリアランス部の塞ぎ構造に関する。
【背景技術】
【０００２】
基礎上構造部が基礎上に免震支承された免震建物では、例えば、図７（イ）に示すように、玄関ポーチ部分において、建物１側と玄関ポーチ下部側４との間の免震クリアランス部６の上部を、基礎上構造部３にキャンチで連結された玄関ポーチ上部側５によって塞ぎ、該玄関ポーチ上部側５の先端側を玄関ポーチ下部側４の上面部にスライド可能に載置して、玄関での人の行き来と、免震時の基礎上構造部３と玄関ポーチ下部側４との相対接近変位の吸収とを可能にすることがある。
【０００３】
また、図７（ロ）に示すように、非免震側であるフェンス１１を、免震側である基礎上構造部３の外壁面３ａに対して直交する方向に向けて設置するような場合、フェンス１１の最側部の支柱１２と外壁面３ａとの間に免震クリアランス部６を設けておく必要がある。
【発明の開示】
【発明が解決しようとする課題】
【０００４】
しかしながら、図７（イ）に示す玄関ポーチ部分では、その両側部が免震クリアランス部６の存在によって開いてしまい、外観体裁を悪くしてしまうという問題がある。また、図７（ロ）に示すフェンス部分においても、外壁面３ａとフェンス支柱１２との間が免震クリアランス部６の存在によって開いてしまい、同じく外観体裁を悪くしてしまうという問題がある。
【０００５】
本発明は、上記のような問題点に鑑み、免震側と非免震側との間の免震クリアランス部によって生じる両側の開き部をうまい具合に塞いで外観体裁を良好なものにすることができる、免震クリアランス部の塞ぎ構造を提供することを課題とする。
【課題を解決するための手段】
【０００６】
上記の課題は、免震側と非免震側との間の免震クリアランス部を両側から塞ぐ対の面状塞ぎ材が免震側と非免震側とにわたすように設置され、
これら面状塞ぎ材は、免震クリアランス部を通じてバネで連結されて相対接近方向のバネ付勢力を受けていると共に、
各面状塞ぎ材には、免震側にわたされる側縁部の内面側、及び／又は、非免震側にわたされる側縁部の内面側において、前記バネ付勢力との組み合わせによって、免震側及び／又は非免震側と係合して面内方向におけるズレを阻止する係合部が備えられ、
免震側にわたされる側縁部の係合部、及び／又は、非免震側にわたされる側縁部の係合部は斜面に形成されていて、免震時の免震側と非免震側との相対接近変位時に、対の面状塞ぎ材が該斜面を利用して面外方向に開く破壊防止動作を行うようになされていることを特徴とする免震クリアランス部の塞ぎ構造によって解決される。
【０００７】
この塞ぎ構造では、免震側と非免震側との間の免震クリアランス部の両側の開き部を面状塞ぎ材によって塞ぐものであることにより、外観体裁を良好なものにすることができる。
【０００８】
のみならず、両側の面状塞ぎ材は、免震側と非免震側とにわたすように設置されてバネで相対接近方向に付勢されており、それとの組み合わせにおいて、各面状塞ぎ材に備えられた係合部が免震側や非免震側に係合して面内方向におけるズレを阻止されるようになされているので、常時は、面内方向におけるズレのないしっかりとした取り付き状態を保持することができ、それでいて、免震時の免震側と非免震側との相対接近変位時には、両側の面状塞ぎ材が係合部の斜面の作用でバネの付勢力に抗して面外方向に開いて、面状塞ぎ材の破壊が防がれ、地震後の修復において、それらの面状塞ぎ材を再利用することができて、修復費用についてのコスト的な有利性を発揮することができる。
【０００９】
また、バネは、免震クリアランス部内を通じて両側の面状塞ぎ材を連結し、係合部も面状塞ぎ材の側縁部の内面側に備えられているので、それらが外に突出してしまうこともなく、その面からも、外観体裁を良好なものにすることができる。
【００１０】
そして、それらを、両側の面状塞ぎ材とバネと係合部と斜面とで実現するようにしたものであるから、免震クリアランス部によって生じる両側の開き部をコスト的に有利に塞ぐことができる。
【発明の効果】
【００１１】
本発明は、以上のとおりのものであるから、免震側と非免震側との間の免震クリアランス部によって生じる両側の開き部をうまい具合に塞いで外観体裁を良好なものにすることができる。
【発明を実施するための最良の形態】
【００１２】
次に、本発明の実施最良形態を図面に基づいて説明する。
【００１３】
図１〜図３に示す第１実施形態は、免震建物１における玄関ポーチ部分についてのもので、２は非免震側である建物の基礎、３は免震側である建物の基礎上構造部、４は非免震側である玄関ポーチ下部側、５は免震側である玄関ポーチ上部側であり、玄関ポーチ下部側４は、建物の基礎２から屋外側に距離をおいて設置され、玄関ポーチ下部側４と建物１との間に免震クリアランス部６が設けられ、玄関ポーチ上部側５は、その一端側が基礎上構造部３にキャンチで連結され、その先端側が玄関ポーチ下部側４の上面部にスライド可能に支承されて、玄関での出入りを可能にすると共に、免震時の基礎上構造部３と玄関ポーチ下部側４との水平方向の相対変位を、玄関ポーチ下部側４の上面部での玄関ポーチ上部側５のスライド動作によって吸収するようになされている。
【００１４】
そして、免震クリアランス部６の左右両側の開き部には、これら開き部を塞ぐ面状塞ぎ材７，７が、玄関ポーチ下部側４の側面部側の一辺と玄関ポーチ上部側５の側面部側の一辺とにわたすように設置され、これら面状塞ぎ材７，７は、免震クリアランス部６を通じて通されたバネ８で連結されて相対接近方向のバネ付勢力を受け、玄関ポーチ下部側４の側面部側の一辺と玄関ポーチ上部側５の側面部側の一辺とに押し付け状態にされている。
【００１５】
また、各面状塞ぎ材７には、非免震側である玄関ポーチ下部側４の側面部に沿って上下方向に延びる側縁部の内面側に、該玄関ポーチ下部側４と係合して面内方向におけるズレを阻止する内向き突出状の係合部９が上下方向に延びて備えられている。該係合部９は、側縁先端側に向けて外方に傾斜する斜面９ａに形成されていて、免震時の免震側と非免震側との相対接近変位時に、対の面状塞ぎ材７，７が該斜面９ａを利用して開くことで、面状塞ぎ材７，７が破壊されないようにされている。
【００１６】
上記の構造によれば、玄関ポーチ部分における免震クリアランス部６の両側の開き部が面状塞ぎ材７，７によって塞がれることにより、玄関ポーチ部分の外観体裁を良好なものにすることができる。
【００１７】
また、両側の面状塞ぎ材７，７がバネ８で相対接近方向に付勢され、それとの組み合わせにおいて、各面状塞ぎ材７，７の上下方向に延びる係合部９，９が玄関ポーチ下部側４に係合していることで、常時は、両側の面状塞ぎ材７，７を面内方向におけるズレのないしっかりとした取り付き状態に保持することができる。
【００１８】
また、免震時の免震側と非免震側との相対接近変位時には、両側の面状塞ぎ材７，７が係合部９，９の斜面９ａ，９ａの作用でバネ８の付勢力に抗して面外方向に開くので、面状塞ぎ材７，７の破壊が防がれ、地震後の修復において、それらの面状塞ぎ材７，７を再利用でき、修復をコスト的に有利に行うことができる。なお、免震時の玄関ポーチ下部側４と玄関ポーチ上部側５との相対離反変位時等には、面状塞ぎ材７，７は破壊されることなく外れるのみである。
【００１９】
また、バネ８は、免震クリアランス部６内を通じて両側の面状塞ぎ材７，７を連結し、係合部９も面状塞ぎ材７の側縁部の内面側に備えられているので、それらが外に突出してしまうこともなく、その面からも、外観体裁を良好なものにすることができると共に、両側の面状塞ぎ材７，７とバネ８と係合部９と斜面９ａとによる簡素な構造によるものであるから、免震クリアランス部６によって生じる両側の開き部をコスト的に有利に塞ぐことができる。
【００２０】
図４〜図６に示す第２実施形態は、免震建物におけるフェンス部分についてのもので、２は非免震側である建物の基礎、３ａは免震側である建物の基礎上構造部３の外壁面、１０は非免震側であるフェンス下基礎、１１はフェンス、１２はその支柱であり、該フェンス側支柱１２は、非免震側として、建物の外壁面３ａから屋外側に距離をおいて設置され、フェンス側支柱１２と外壁面３ａとの間に免震クリアランス部６が設けられて、免震時の基礎上構造部３とフェンス１１との水平方向の相対変位が許容されるようになされている。
【００２１】
そして、外壁面３ａには、免震側としての外壁側支柱１３が設置され、外壁側支柱１３とフェンス側支柱１２との間の免震クリアランス部６を前後両側から塞ぐ面状塞ぎ材７，７が、外壁側支柱１３の側面部とフェンス側支柱１２の側面部とにわたすように設置され、これら面状塞ぎ材７，７は、免震クリアランス部６内においてバネ８…で連結されて相対接近方向のバネ付勢力を受け、外壁側支柱１３の側面部とフェンス側支柱１２の側面部とに押し付け状態にされている。
【００２２】
また、各面状塞ぎ材７，７には、非免震側であるフェンス側支柱１２の側面部に沿って上下方向に延びる側縁部の内面側に、上下方向に延びる内向き突出状の係合部９が備えられると共に、免震側である外壁側支柱１３の側面部に沿って上下方向に延びる側縁部の内面側にも、上下方向に延びる内向き突出状の係合部９が備えられ、これら係合部９…がフェンス側支柱１２と外壁側支柱１３とに係合することで、各面状塞ぎ材７，７の面内方向におけるズレ動きが阻止されるようになされている。
【００２３】
そして、各係合部９…は、側縁先端側に向けて外方に傾斜する斜面９ａに形成されていて、免震時のフェンス側支柱１２と外壁側支柱１３との相対接近変位時に、対の面状塞ぎ材７，７が該斜面９ａ…を利用して開くことで、面状塞ぎ材７，７が破壊されないようにされている。なお、係合部９と斜面９ａは、面状塞ぎ材７，７のフェンス側の側縁部にのみ備えさせるようにしてもよい。
【００２４】
上記の構造によれば、フェンス部分における免震クリアランス部６が前後両側から面状塞ぎ材７，７によって塞がれることにより、外壁面３ａとフェンスとの間の外観体裁を良好なものにすることができる。
【００２５】
また、両側の面状塞ぎ材７，７がバネ８で相対接近方向に付勢されると共に、各面状塞ぎ材７，７に備えられた係合部９…がフェンス側支柱１２と外壁側支柱１３とに係合していることで、常時は、両側の面状塞ぎ材７，７を面内方向におけるズレのないしっかりとした取り付き状態に保持することができ、免震時の免震側と非免震側との相対接近変位時には、両側の面状塞ぎ材７，７が係合部９…の斜面…の作用でバネ８…の付勢力に抗して面外方向に開くので、面状塞ぎ材７，７の破壊が防がれ、地震後の修復において、それらの面状塞ぎ材７，７を再利用でき、修復をコスト的に有利に行うことができる。なお、免震時のフェンス側支柱１２と外壁側支柱１３との相対離反変位時には、面状塞ぎ材７，７は破壊されることなく外れるのみである。また、常時は、両側の面状塞ぎ材７，７の左右の側縁部が支柱１２，１３側に張り出していることによって、面状塞ぎ材７，７を面と直交する方向から押しても向こう側に動いてしまうことがなく、柵としての機能を奏することができて、安全に用いることができる。
【００２６】
また、バネ８…は、面状塞ぎ材７，７間において両側の面状塞ぎ材７，７を連結し、係合部９も面状塞ぎ材７の側縁部の内面側に備えられているので、それらが外に突出してしまうこともなく、その面からも、外観体裁を良好なものにすることができ、更に、両側の面状塞ぎ材７，７とバネ８…と係合部９…と斜面９ａ…とによる簡素な構造によるものであるから、免震クリアランス部６によって生じる前後両側の開き部をコスト的に有利に塞ぐことができる。
【００２７】
以上に、本発明の実施形態を示したが、本発明はこれに限られるものではなく、発明思想を逸脱しない範囲で各種の変更が可能である。例えば、上記の実施形態では、本発明を免震建物における玄関ポーチ部分とフェンス部分とに用いた場合を示したが、本発明は、これらに限らず、免震建物における各種部分に用いることができるものである。また、本発明では、面状塞ぎ材に備えられる係合部と斜面は、面状塞ぎ材で塞ぐ部分の構造に応じて、免震側の側縁部のみ備えられていてもよい。また、上記の実施形態では係合部が上下方向に延びるものからなっている場合を示しているが、上下方向に間隔的に備えられたものであってもよく、要は、面状塞ぎ材の面内方向におけるズレを阻止する作用を行うことができるような形態のものであればよい。
【図面の簡単な説明】
【００２８】
【図１】塞ぎ構造の第１実施形態で玄関ポーチ部分を示す斜視図である。
【図２】同塞ぎ構造を構成する部品を分解状態で示す斜視図である。
【図３】図（イ）は面状塞ぎ材を設置する前の玄関ポーチ部分の側面図、図（ロ）は面状塞ぎ材を設置した状態の玄関ポーチ部分の側面図、図（ハ）は図（ロ）のＩ−Ｉ線矢視図である。
【図４】塞ぎ構造の第２実施形態で、フェンス部分を示す斜視図である。
【図５】図（イ）は同塞ぎ構造を構成する部品を分解状態で示す斜視図、図（ロ）は面状塞ぎ材を設置する前のフェンス部分の斜視図である。
【図６】図（イ）は面状塞ぎ材を設置した状態のフェンス部分の平面図、図（ロ）は同正面図である。側面図
【図７】従来例を示すもので、図（イ）は玄関ポーチの斜視図、図（ロ）はフェンス部分の斜視図である。
【符号の説明】
【００２９】
３…基礎上構造部（免震側）
３ａ…外壁面（免震側）
４…玄関ポーチ下部側（非免震側）
５…玄関ポーチ上部側（免震側）
６…免震クリアランス部
７…面状塞ぎ材
８…バネ
９…係合部
９ａ…斜面
１２…フェンス側支柱（非免震側）
１３…外壁側支柱（免震側）
【図１】
2007070967.tif 000003
【図２】
2007070967.tif 000004
【図３】
2007070967.tif 000005
【図４】
2007070967.tif 000006
【図５】
2007070967.tif 000007
【図６】
2007070967.tif 000008
【図７】
2007070967.tif 000009